(57)【要約】【課題】蓄冷材によって全体を効率よく冷却することができ、かつ蓄冷材が内容物に衝突するのを防止できる保冷箱を提供する。【解決手段】本発明の保冷箱１００は、外箱１０と、外箱１０に収容される内箱２０と、内箱２０の対向する側壁２１ａの上端部間に架け渡される内蓋３０と、内蓋３０上に配置される蓄冷材４０を備えている。【選択図】図１
2015182782.tif 000002
【特許請求の範囲】
【請求項１】
外箱と、該外箱に収容される内箱と、該内箱の対向する側壁の上端部間に架け渡される内蓋と、該内蓋上に配置される蓄冷材と、を備えることを特徴とする保冷箱。
【請求項２】
前記内箱は、前記外箱の奥行方向の内寸一杯の外寸を有することを特徴とする請求項１に記載の保冷箱。
【請求項３】
前記内蓋は、前記外箱の前記奥行方向の内寸一杯の寸法を有し、
前記内箱の前記側壁の前記上端部は、前記外箱の幅方向における中央部が該幅方向の両端部よりも前記奥行方向の内側に膨出していることを特徴とする請求項２に記載の保冷箱。
【請求項４】
前記内箱の前記側壁の前記上端部と前記外箱の側壁との間にスペーサが配置されていることを特徴とする請求項３に記載の保冷箱。
【請求項５】
前記内箱は、前記外箱の幅方向の内寸よりも小さい外寸を有することを特徴とする請求項２から請求項４のいずれか一項に記載の保冷箱。
【請求項６】
前記内箱は、前記外箱の幅方向の内寸一杯の外寸を有することを特徴とする請求項２から請求項４のいずれか一項に記載の保冷箱。
【請求項７】
前記内箱は、奥行方向に対向する側壁と幅方向に対向する側壁と底板片とを有し、
前記側壁は、互いに曲折可能に連結されると共に、下端に前記底板片が曲折可能に連結され、
前記底板片は、前記側壁が前記奥行方向および前記幅方向に対向した状態で前記側壁に対して曲折されることで互いに組み合わされて前記内箱の底部を塞ぐことを特徴とする請求項１から請求項６のいずれか一項に記載の保冷箱。
【請求項８】
前記外箱は、発泡樹脂製であり、
前記内箱は、樹脂段ボール製であることを特徴とする請求項１から請求項７のいずれか一項に記載の保冷箱。
【発明の詳細な説明】
【技術分野】
【０００１】
本発明は、食品等を蓄冷材と共に収容した状態で輸送および保管される保冷箱に関する。
【背景技術】
【０００２】
冷凍食品を長時間にわたって温度管理帯を維持した状態で保管、輸送するための方法として、複層の断熱材からなる箱型のフレキシブル保冷ボックス、蓄冷材およびドライアイスを適正な方法で組み合わせることで、冷凍車や保冷車を使用することなしに、長時間にわたり要冷品を管理すべき温度帯で保管、輸送する方法が知られている（下記特許文献１を参照）。
【０００３】
特許文献１では、保冷ボックスの外箱および中箱による二重構造、蓄冷材の組合せ、冷気の流出を防ぐための柔軟性のある材質の中蓋を用いることにより、保冷すべき対象範囲を限定している。このように、保冷ボックスを外箱および中箱による二重構造とし、適正な改善策を講じることにより、冷蔵、冷凍、常温などの複数の管理温度帯の要冷物品を保管、輸送することが可能となる、とされている。
【先行技術文献】
【特許文献】
【０００４】
【特許文献１】特開２００７−０４５５１９号公報
【発明の概要】
【発明が解決しようとする課題】
【０００５】
特許文献１に記載の保冷ボックスでは、蓄冷材を外箱の底面上でかつ外箱の側壁の内側と、外箱の底面上でかつ中箱の側壁の外側と、中箱内の中蓋上とに配置している。しかし、このような蓄冷材の配置では、保冷ボックス全体を効率よく冷却することが困難である。また、外箱の側壁の内側に配置された蓄冷材が輸送時の振動などによって移動した場合には、蓄冷材が食品等の内容物に衝突して内容物を損傷させる虞がある。
【０００６】
本発明は、前記課題に鑑みてなされたものであり、蓄冷材によって全体を効率よく冷却することができ、かつ蓄冷材が内容物に衝突するのを防止できる保冷箱を提供することを目的とする。
【課題を解決するための手段】
【０００７】
前記目的を達成すべく、本発明の保冷箱は、外箱と、該外箱に収容される内箱と、該内箱の対向する側壁の上端部間に架け渡される内蓋と、該内蓋上に配置される蓄冷材と、を備えることを特徴とする。
【０００８】
本発明の保冷箱に食品等の内容物を収容するには、まず、外箱に内箱を収容し、次に内箱に内容物を収容し、次に内箱の対向する側壁の上端部間に内蓋を架け渡し、次に内蓋上に蓄冷材を配置して外箱を密閉する。これにより、蓄冷材を外箱内の上部で内容物よりも上方の位置に配置することができ、蓄冷材によって冷却された冷気を外箱内の上部から下降させて外箱内で循環させ、外箱内全体を効率よく冷却することができる。また、蓄冷材が内箱の上方に内蓋を介して配置されるので、蓄冷材が内容物に衝突するのを防止できる。
【０００９】
前記内箱は、前記外箱の奥行方向の内寸一杯の外寸を有することが好ましい。これにより、外箱内で内箱が奥行方向に移動することが防止され、内箱の側壁の上端部に架け渡した内蓋が脱落することが防止され、蓄冷材を外箱内の上部の内容物よりも上方の位置に安定して配置することができる。
【００１０】
前記内蓋は、前記外箱の前記奥行方向の内寸一杯の寸法を有し、前記内箱の前記側壁の前記上端部は、前記外箱の幅方向における中央部が該幅方向の両端部よりも前記奥行方向の内側に膨出していることが好ましい。これにより、内蓋が外箱の奥行方向に移動することが防止されるだけでなく、外箱の幅方向の中央部において内蓋が奥行方向の内側に膨出した内箱の側壁の上端部よりも奥行方向の外側に張り出した状態になる。そのため、内蓋の脱落を防止することができ、内蓋を内箱の側壁の上端部により安定して架け渡すことができる。
【００１１】
前記内箱の前記側壁の前記上端部と前記外箱の側壁との間にスペーサが配置されていることが好ましい。この場合、外箱に内箱を収容すると、外箱の奥行方向に対向する内箱の側壁の上端部の外箱の幅方向における中央部に、スペーサによって外箱の奥行方向の内側を向く力が作用する。これにより、内箱の側壁の上端部を、外箱の幅方向における中央部が該幅方向の両端部よりも奥行方向の内側に膨出した状態にさせることができる。
【００１２】
前記内箱は、前記外箱の幅方向の内寸よりも小さい外寸を有してもよい。この場合、内箱の外側で外箱内に内容物を収容するスペースを確保し、内箱の内側と外側にそれぞれ収容される内容物に適した収容スペースを設けることができる。
【００１３】
前記内箱は、前記外箱の幅方向の内寸一杯の外寸を有してもよい。この場合、内箱の容積を増加させ、内箱に収容可能な内容物の数量および大きさを増大させることができる。
【００１４】
前記内箱は、奥行方向に対向する側壁と幅方向に対向する側壁と底板片とを有し、前記側壁は、互いに曲折可能に連結されると共に、下端に前記底板片が曲折可能に連結され、前記底板片は、前記側壁が前記奥行方向および前記幅方向に対向した状態で前記側壁に対して曲折されることで互いに組み合わされて前記内箱の底部を塞ぐように、前記各部材を構成することが好ましい。これにより、内箱を使用しないときは、底板片が側壁と平行になるようにして内箱の底部を開放し、奥行方向に対向する側壁と幅方向に対向する側壁とが平行に重なるように折り畳むことで、すべての側壁と底板片を平面的に折り畳むことができる。
【００１５】
前記外箱は、発泡樹脂製であり、前記内箱は、樹脂段ボール製であることが好ましい。これにより、外箱の外側から内側へ伝わる熱量を効果的に減少させることができる。また、内箱の強度を確保しつつ、厚さを薄くして内箱の容積を確保すると共に、内箱の内側と外側の温度差を適正な温度差にすることが可能になる。
【発明の効果】
【００１６】
本発明の保冷箱によれば、蓄冷材によって全体を効率よく冷却することができ、かつ蓄冷材が内容物に衝突するのを防止することができる。
【図面の簡単な説明】
【００１７】
【図１】本発明の実施形態に係る保冷箱の分解斜視図。
【図２】図１に示す保冷箱の使用状態におけるII−II線に沿う断面図。
【図３】図１に示す保冷箱の外箱の容器に内箱を収容した状態を示す平面図。
【図４】図３に示す保冷箱に内蓋を配置した状態を示す平面図。
【図５】図４に示す保冷箱に蓄冷材を配置した状態を示す
【図６】図１に示す保冷箱の内箱の底部を開放した状態を示す斜視図。
【図７】図６に示す内箱を折り畳んだ状態を示す斜視図。
【発明を実施するための形態】
【００１８】
以下、本発明の保冷箱の実施の形態について、図面を用いて詳細に説明する。
図１は、本実施形態に係る保冷箱１００の分解斜視図である。図２は、図１に示す保冷箱１００の使用状態におけるII−II線に沿う断面図である。本実施形態の保冷箱１００は、外箱１０と、該外箱１０に収容される内箱２０と、該内箱２０の対向する側壁２１ａの上端部間に架け渡される内蓋３０と、該内蓋３０上に配置される蓄冷材４０と、を備えている。
【００１９】
外箱１０は、上部が開放された直方体形状の容器１１と、容器１１の上部の開口を閉塞する長方形の板状の外蓋１２とを有している。容器１１は、短手方向である奥行方向に対向する一対の側壁１１ａと、長手方向である幅方向に対向する一対の側壁１１ｂと、底壁１１ｃとを有し、内側に食品等の内容物を収容する空間を有している。
【００２０】
外蓋１２の上面には、周縁部の内側が周縁部よりも一段低くなるように段差が設けられている。外蓋１２の下面には、周縁部の内側が周縁部よりも容器１１内方に突出するように段差が設けられている。外蓋１２は、周縁部の内側の容器１１内方へ突出した部分が側壁１１ａ，１１ｂの上端部の内側で容器１１の開口の内側に嵌合し、容器１１を密閉している。
【００２１】
外箱１０は、例えば、発泡樹脂、すなわち発泡プラスチックによって製作されている。発泡樹脂は、要求される断熱性、耐久性等を満足するものであれば、材料は特に限定されず、例えば、ポリスチレン系樹脂、ポリオレフィン系樹脂、ポリエステル系樹脂等を用いることができる。
【００２２】
内箱２０は、短手方向である奥行方向に対向する一対の側壁２１ａと、長手方向である幅方向に対向する一対の側壁２１ｂと、複数の底板片２２ａ，２２ｂ，２２ｃとを備えている。幅方向に沿う側壁２１ａと奥行方向に沿う側壁２１ｂとは、互いに曲折可能に連結されている。奥行方向の手前側の側壁２１ａの下端には、底板片２２ｃが曲折可能に連結され、奥手側の側壁２１ａの下端には、別の底板片２２ａが曲折可能に連結されている。幅方向に対向する一対の側壁２１ｂの下端には、それぞれ底板片２２ｂが曲折可能に連結されている。
【００２３】
底板片２２ａ，２２ｂ，２２ｃは、長手方向に沿う側壁２１ａが奥行方向に対向し、短手方向に沿う側壁２１ｂが幅方向に対向した状態で、側壁２１ａ，２１ｂに対して略直角に曲折されることで、互いに組み合わされて内箱２０の底部を塞いでいる。曲折可能に連結された側壁２１ａと側壁２１ｂとの間および側壁２１ａ，２１ｂと底板片２２ａ，２２ｂ，２２ｃとの間は、それぞれ内箱２０の折り畳み時に相互間の角度を変化させることができるようになっている。
【００２４】
内箱２０の奥行方向に対向する側壁２１ａの上端部で幅方向の中央部には、スペーサ２３が固定されている。スペーサ２３は、所定の厚さを有し、内箱２０を外箱１０に収容したときに内箱２０の側壁２１ａと外箱１０の側壁１１ａとの間に配置される。本実施形態において、スペーサ２３は矩形の板状に形成されている。
【００２５】
内蓋３０は、内箱２０の対向する側壁２１ａの上端部間に架け渡される板状の部材であり、内箱２０の上部の開口を閉塞している。内蓋３０には、内蓋３０を貫通する複数の貫通孔３１が設けられている。貫通孔３１は、内箱２０の短手方向である奥行方向に延びるスリット状に形成され、内箱２０の長手方向である幅方向に間隔を開けて複数の貫通孔３１が設けられている。また、内蓋３０は、外箱１０の長手方向である幅方向において２つに分割され、それぞれ外箱１０の開口形状に対応する矩形の平面形状を有している。
【００２６】
内箱２０および内蓋３０は、例えば、樹脂段ボール、すなわちプラスチック段ボールによって製作されている。樹脂段ボールは、樹脂製の中空構造板であり、要求される強度、耐久性等を満足するものであれば、材料は特に限定されず、例えば、ポリオレフィン系樹脂、ポリカーボネート系樹脂等を用いることができる。
【００２７】
また、スペーサ２３の材料は、内箱２０の側壁２１ａに固定することができ、内箱２０の側壁２１ａを奥行方向内側に膨出させることができる強度を有する材料であれば特に限定されないが、内箱２０および外箱１０の損傷を防止する観点から、適度な柔軟性または弾力性を有することが好ましい。スペーサ２３は、例えば、内箱２０または外箱１０と同じ樹脂材料、もしくはポリウレタン系樹脂やフェルト等のクッション性を有する材料によって製作することができる。
【００２８】
蓄冷材４０は、内箱２０の対向する側壁２１ａの上端部間に架け渡された内蓋３０上に配置される。本実施形態では、外箱１０の幅方向を短手方向とする長方形の板状の複数の蓄冷材４０、具体的には４つの蓄冷材４０が、外箱１０の幅方向に隣接して配置されている。蓄冷材４０は、例えば、ポリエチレン系樹脂製の容器の中に、水、ゲル剤、保存料、着色料等を混合した保冷剤を封入することによって構成されている。
【００２９】
蓄冷材４０は、内蓋３０と外蓋１２との間に僅かな隙間をあけてぴったりと収まる厚さを有している。内蓋３０と外蓋１２との間で、蓄冷材４０が外箱１０の幅方向に移動して互いに重なるのを防止する観点から、内蓋３０の上面から外蓋１２の下面までの高さは、蓄冷材４０の厚さの２倍以下または２倍より小であることが好ましい。
【００３０】
図３は、外箱１０の容器１１に内箱２０を収容した状態を示す平面図である。内箱２０は、外箱１０の容器１１の奥行方向の内寸Ｄ１一杯の外寸Ｄ２を有し、外箱１０の奥行方向において容器１１の内側に余分な空間を余すことなくぴったりと収まっている。また、内箱２０を外箱１０の容器１１に収容することで、内箱２０の側壁２１ａの上端部と外箱１０の側壁１１ａとの間にスペーサ２３が配置されている。これにより、内箱２０の側壁２１ａの上端部は、スペーサ２３から奥行方向の内側に向く力を受けて撓み、外箱１０の幅方向における中央部が幅方向の両端部よりも奥行方向の内側に膨出している。
【００３１】
また、本実施形態では、内箱２０は、外箱１０の幅方向の内寸Ｗ１よりも小さい外寸Ｗ２を有している。これにより、外箱１０の内側に、内箱２０の内側の収容スペースＳ２と内箱２０の外側の収容スペースＳ１が形成されている。なお、内箱２０の収容と取り出しを容易にする観点から、外箱１０の内寸Ｄ１と内箱２０の外寸Ｄ２との間には、所定の寸法公差が設定されている。
【００３２】
図４は、図３に示す内箱２０の上に内蓋３０を配置した状態を示す平面図である。内蓋３０は、それぞれ、外箱１０の奥行方向の内寸Ｄ１一杯の寸法Ｄ３を有し、外箱１０の奥行方向において外箱１０の容器１１の内側にぴったりと収まっている。また、外箱１０の幅方向に隣接する２枚の内蓋３０は、外箱１０の容器１１の幅方向の内寸Ｗ１一杯の寸法Ｗ３を有し、外箱１０の幅方向において外箱１０の容器１１の内側に余分な空間を余すことなくぴったりと収まっている。なお、内蓋３０の取り付け、取り外しを容易にする観点から、外箱１０の側壁１１ａと内蓋３０との間には、所定の寸法公差が設定されている。
【００３３】
図５は、図４に示す内蓋３０上に蓄冷材４０を配置した状態を示す平面図である。蓄冷材４０の幅方向の寸法Ｗ４は、外箱１０の幅方向に隣接して４つの蓄冷材４０が互いに微小な隙間をあけて配置された状態で、外箱１０の容器１１の幅方向の内寸Ｗ１一杯に配置される寸法に設定されている。換言すると、外箱１０の容器１１の幅方向の内寸Ｗ１は、幅方向の寸法がＷ４である４つの蓄冷材４０が互いに微小な隙間をあけて隣接して配置されたときに、外箱１０の幅方向の容器１１の内寸Ｗ１一杯に蓄冷材４０が配置される内寸に設定されている。
【００３４】
また、蓄冷材４０の奥行方向の寸法Ｄ４は、蓄冷材４０が外箱１０の容器１１の奥行方向の内寸Ｄ１一杯に配置される寸法に設定されている。換言すると、外箱１０の容器１１の奥行方向の内寸Ｄ１は、蓄冷材４０の寸法Ｄ４が外箱１０の奥行方向の内寸Ｄ１一杯に配置される内寸に設定されている。これにより、外箱１０の内側に４つの蓄冷材４０が余分な空間を余すことなくぴったりと収まっている。なお、蓄冷材４０の配置、取り出しを容易にする観点から、外箱１０の側壁１１ａ，１１ｂと蓄冷材４０との間には、所定の寸法公差が設定されている。
【００３５】
以下、本実施形態の保冷箱１００の作用について説明する。本実施形態の保冷箱１００に食品等の内容物を収容するには、まず、図３に示すように、外箱１０の容器１１に内箱２０を収容する。そして、例えば、野菜や果実等の傷つきやすい内容物を内箱２０内の収容スペースＳ２に収容し、その他の冷蔵品を外箱１０の内側で内箱２０の外側の収容スペースＳ１に収容する。次に、内箱２０の対向する側壁２１ａの上端部間に、図４に示すように内蓋３０を架け渡し、さらに内蓋３０上に図５に示すように蓄冷材４０を配置する。
【００３６】
これにより、図２に示すように、蓄冷材４０を外箱１０内の上部の内容物よりも上方の位置に配置することができるそのため、蓄冷材４０によって冷却された冷気を、例えば内蓋３０の貫通孔３１を介して外箱１０内の上部から内箱２０の内側と外側の収容スペースＳ１，Ｓ２に下降させ、外箱１０内の収容スペースＳ１，Ｓ２で冷気を循環させ、外箱１０内全体を効率よく冷却することができる。また、蓄冷材４０が内箱２０の上方に内蓋３０を介して配置されるので、蓄冷材４０が内箱２０内の例えば野菜や果実等の傷つきやすい内容物に衝突するのを防止できる。
【００３７】
また、内箱２０が外箱１０の奥行方向の内寸Ｄ１一杯の外寸Ｄ２を有しているので、外箱１０内で内箱２０が奥行方向に移動することが防止され、内箱２０の側壁２１ａの上端部に架け渡した内蓋３０が脱落することが防止される。したがって、蓄冷材４０を外箱１０内の上部の内容物よりも上方の位置に安定して配置することができる。
【００３８】
また、内蓋３０が外箱１０の奥行方向の内寸Ｄ１一杯の寸法を有し、内箱２０の側壁２１ａの上端部は、外箱１０の幅方向における中央部が幅方向の両端部よりも奥行方向の内側に膨出している。これにより、内蓋３０が外箱１０の奥行方向に移動することが防止されるだけでなく、外箱１０の幅方向の中央部から幅方向の端部にかけて奥行方向の内側に膨出した内箱２０の側壁２１ａの上端部よりも、内蓋３０が奥行方向の外側に張り出した状態になる。そのため、内蓋３０の脱落を効果的に防止することができ、内蓋３０を内箱２０の側壁２１ａの上端部により安定して架け渡すことができる。
【００３９】
また、内箱２０の側壁２１ａの上端部と外箱１０の側壁１１ａとの間にスペーサ２３が配置されているので、外箱１０に内箱２０を収容すると、外箱１０の奥行方向に対向する内箱２０の側壁２１ａの上端部の外箱１０の幅方向における中央部に、スペーサ２３によって外箱１０の奥行方向の内側を向く力が作用する。これにより、外箱１０に内箱２０を収容する前には平坦な状態の内箱２０の側壁２１ａの上端部を、外箱１０に収容することで、容易に奥行方向の内側に膨出した状態にすることができる。
【００４０】
内箱２０は、外箱１０の幅方向の内寸Ｗ１よりも小さい外寸Ｗ２を有しているので、外箱１０内で内箱２０の外側に内容物を収容するスペースＳ１を確保することができる。そのため、内箱２０の内側の収容スペースＳ２に、例えば、野菜や果実等の傷つきやすい内容物を収容し、内箱２０の外側の収容スペースＳ１に、例えば容器に入った食品や飲料等のその他の内容物を収容することが可能になる。これにより、例えば野菜や果実等の傷つきやすい内容物に、例えば容器に入った食品や飲料等のその他の内容物が衝突するのを防止できる。また、内箱２０によって収容スペースＳ１，Ｓ２を仕切ることで、それぞれの収容スペースＳ１，Ｓ２に応じた温度管理が可能になる。
【００４１】
また、内箱２０は、奥行方向に対向する側壁２１ａと幅方向に対向する側壁２１ｂと底板片２２ａ，２２ｂ，２２ｃとを有し、側壁２１ａ，２１ｂは、互いに曲折可能に連結されると共に、下端に底板片２２ａ，２２ｂ，２２ｃが曲折可能に連結されている。そして、底板片２２ａ，２２ｂ，２２ｃは、側壁２１ａ，２１ｂが奥行方向および幅方向に対向した状態で側壁２１ａ，２１ｂに対して曲折されることで互いに組み合わされて内箱２０の底部を塞ぐよう構成されている。このような構成により、内箱２０を使用しないときに、内箱２０を折り畳むことが可能になる。以下、内箱２０の折り畳み手順について説明する。
【００４２】
図６は、図１に示す内箱２０の上下を反転させて底部を開放した状態を示す斜視図である。図７は、図６に示す内箱２０を折り畳んだ状態を示す斜視図である。
【００４３】
内箱２０を折り畳むには、まず、側壁２１ａ，２１ｂに対して略垂直に曲折された各底板片２２ａ，２２ｂ，２２ｃを、それぞれ側壁２１ａ，２１ｂに平行になるように起こした状態にする。具体的には、図６に示すように、各底板片２２ａ，２２ｂ，２２ｃを各側壁２１ａ，２１ｂに対して略１８０°の角度に開いて内箱２０の底部を開放する。次に、互いに略垂直な奥行方向に対向する側壁２１ａと幅方向に対向する側壁２１ｂとの間の一方の対角を略１８０°の角度に開き、他方の対角を略０°の角度に閉じ、図７に示すように、すべての側壁２１ａ，２１ｂと底板片２２ａ，２２ｂ，２２ｃが略平行になるように、内箱２０を折り畳む。これにより、内箱２０を使用しないときは、すべての側壁２１ａ，２１ｂと底板片２２ａ，２２ｂ，２２ｃを平面的に折り畳むことができ、スペースを節約することができる。
【００４４】
また、外箱１０が発泡樹脂製であることで、外箱１０の外部から外箱１０の内側に伝わる熱量を効果的に減少させることができる。また、内箱２０が樹脂段ボール製であることで、内箱２０の強度を確保しつつ、側壁２１ａ，２１ｂおよび底板片２２ａ，２２ｂ，２２ｃの厚さを薄くして内箱２０の容積を確保すると共に、内箱２０の内側と外側の温度差を適正な温度差にすることが可能になる。
【００４５】
以上、図面を用いて本発明の実施の形態を詳述してきたが、具体的な構成はこの実施形態に限定されるものではなく、本発明の要旨を逸脱しない範囲における設計変更等があっても、それらは本発明に含まれるものである。
【００４６】
例えば、前述の実施形態では、内箱が外箱の幅方向の内寸よりも小さい外寸を有している場合について説明したが、内箱は外箱の幅方向の内寸一杯の外寸を有してもよい。この場合、内箱の容積を増加させ、内箱に収容可能な、野菜や果実等の傷つきやすい内容物の数量および大きさを増大させることができる。
【００４７】
また、断熱箱の形状は、前述の実施形態で説明した直方体形状に限定されず、立方体形状、円柱形状、楕円柱形状、多角柱形状等、任意の形状を選択することができる。また、前述の実施形態では、スペーサが内箱の側壁に固定されている例について説明したが、スペーサを外箱に側壁に固定するようにしてもよい。また、内箱または外箱の側壁にスペーサとして機能する凸部を設けてもよい。
【符号の説明】
【００４８】
１０…外箱、１１…容器、１２…外蓋、２０…内箱、２１ａ，２１ｂ…側壁、２２ａ，２２ｂ，２２ｃ…底板片、２３…スペーサ、３０…内蓋、４０…蓄冷材、１００…保冷箱、Ｄ１…外箱の奥行方向の内寸、Ｄ２…内箱の奥行方向の外寸、Ｄ３…内蓋の奥行方向の寸法、Ｗ１…外箱の幅方向の内寸、Ｗ２…内箱の幅方向の外寸
【図１】
2015182782.tif 000003
【図２】
2015182782.tif 000004
【図３】
2015182782.tif 000005
【図４】
2015182782.tif 000006
【図５】
2015182782.tif 000007
【図６】
2015182782.tif 000008
【図７】
2015182782.tif 000009